Podtech/llm-jp-corpus-v4-ja_patent huggingface dataset:
(57)【要約】      （修正有）【課題】両手の中でスッポリと収まる形状にして、吹きガラスで内部に空洞部を作り、そこを着色して遺灰や遺骨、遺品、遺毛を入れて上部蓋部に接着し埋封することで、現代の住空間にも適合する様にした位牌を提供する。【解決手段】吹きガラスで内部に空洞部３を作り、外周部を正面から見た形状が円形、アーチ形楕円形、台形などの所定の形状に成型する。さらに、当該空洞部に遺灰、遺骨、遺品、遺毛４を入れて球状の上部蓋部１を接着して埋封し、底面は置物となるよう平らにした人及びペット用のガラス製位牌とする。【選択図】図１
0003170733.tif 000002
【実用新案登録請求の範囲】
【請求項１】
吹きガラスで内部に空洞部を作り、外周部を正面から見た形状が円形、アーチ形楕円形、台形などの所定の形状に成型し、当該空洞部に遺灰、遺骨、遺品、遺毛を入れて球状の上部蓋部を接着して埋封し、底面は置物となるよう平らにした人及びペット用のガラス製位牌。
【考案の詳細な説明】
【技術分野】
【０００１】  本考案は人及びペット用の遺灰、遺骨、遺品、遺毛を埋封したガラス製位牌に関するものである。
【背景技術】
【０００２】  従来より、死亡したペットの供養のための位牌と分骨壺を一体化させたものやペットの写真画像をプリントした陶磁器の位牌の内部に遺骨を収納する空洞部を設けた位牌が市販提供されている。例えば、特許文献１は、ガラス製容器とガラス製蓋部から成り、ガラス製蓋部や位牌部に、ペットの映像（写真を含む）が貼り付けられて透過して見えたり、特許文献２は、写真画像をプリントした陶磁器の位牌の内部に遺骨を収納する空洞部を設けた位牌である。
【先行技術文献】
【特許文献】
【０００３】
【特許文献１】実用新案登録第３１５６６８４号広報
【特許文献２】特許２００２−３０６３１８号  広報
【考案の概要】
【考案が解決しようとする課題】
【０００４】上記した実用新案第３１５６６８４号広報、特許２００２−３０６３１８号  広報にも示されている、従来のペット用や人の位牌は、一見して位牌と判り仏間や仏壇のない現代住宅には不似合いであるため、現代の住空間にも適合するような位牌とすることで不似合いを解決するものである。【０００５】また、従来のペット用や人の位牌は、ペットや故人のそれぞれのイメージに合ったものではないため、形状や気泡封入、着色して「愛着の持てる自分だけの」位牌として、いつも身近に感じれるように解決するものである。
【課題を解決するための手段】
【０００６】現代の住空間に合うように両手の中でスッポリと収まる形状にして、吹きガラスで内部に空洞部を作り、そこを着色して遺灰や遺骨、遺品、遺毛を入れて上部蓋部に接着し埋封するため、ガラスオブジェ（置物）に見え不似合いという問題点を解決している。【０００７】住居や住まいのスタイルに合わせ、吹きガラス製の位牌の形  図２、図３、図４、図５の４型から成り、故人やペットのイメージから空洞部を着色し、ガラスの光反射で立体感を演出するため、底面や中央部などに気泡を入れる。【０００８】名前や日付、顔写真をサンドブラストで彫刻、刻印してもよい。
【考案の効果】
【０００９】ガラス製位牌の内部の空洞部に遺灰や遺骨が埋封できて透明ガラスを透して見ることができ、飼い主や家族の人にとっては非常に身近に感じることができる。一般の方がガラス製位牌を見ても色や気泡などで、一見して位牌と判らずリビングや家族みんなが集まる場所に飾ることができる内部に空洞部を設けたペット及び人のガラス製位牌。
【図面の簡単な説明】
【００１０】
【図１】本考案の実施例１に係る内部に空洞部を設けたペット及び人用のガラス製位牌を正面側から見た斜視図である。
【図２】本考案の実施例１の正面図、上方側から見たときの上面図、側方から見たときの側面図、下方側から見たときの底面図。
【図３】本考案の実施例２の正面図、上方側から見たときの上面図、側方から見たときの側面図、下方側から見たときの底面図。
【図４】本考案の実施例３の正面図、上方側から見たときの上面図、側方から見たときの側面図、下方側から見たときの底面図。
【図５】本考案の実施例４の正面図、上方側から見たときの上面図、側方から見たときの側面図、下方側から見たときの底面図。
【考案を実施するための形態】
以下に本考案を実施するための形態を、添付した図面を参照して説明する。
【実施例１】
【００１１】本考案の実施例１に係る人及びペット用の位牌、遺骨、遺毛を埋封したガラス製位牌を、図１〜５を参照して説明する。
図１は実施例１に係る人及びペット用の位牌、遺骨、遺毛を埋封したガラス製位牌を正面側から見たときの斜視図、図２は本実施例１の正面図、上方側から見たときの上面図、側方から見たときの側面図、下方側から見たときの底面図。図３は正面から見たときアーチ型の正面図、上面図、側面図、底面図。
図４は正面から見たとき楕円型の正面図、上面図、側面図、底面図。図５は正面から見たとき台形型の正面図、上面図、側面図、底面図である。【００１２】図１〜５において、１は上部蓋部、２は内部に遺灰、遺骨、遺品、遺毛を入れるための空洞部。５は空洞部の外側に作った気泡である。６は人やペットの名前や日付を刻印する場合もある。【００１３】人及びペット用の位牌、遺骨、遺毛を埋封したガラス製位牌は、吹きガラスで３の空洞部を作り、遺灰遺骨等が直接見えないように着色し空洞部に遺灰、遺骨、遺品、遺毛を入れてから接着剤で接合し、最後に底面は置物となるよう平らにした。【００１４】図３は正面から見たときアーチ形になるよう、上部両肩部を円形状に成型する。
気泡は底面の外周から少量をガラス内に浮かび上がっていくようにする。【００１５】図４は正面から見たとき楕円形で、多少大きな遺骨を１１本体の空洞部から入れれるように
穴部を大きくして制作する。【００１６】図５は正面から見たとき台形で、気泡はいれていない。
【符号の説明】
【００１７】１、６、１０，１３：上部蓋部、  ２、７、１１、１４：本体部、
３、８、１２、１５：空洞部、    ４、１６：遺灰、      ５、９：気泡
６：ペットの名前
【図１】
0003170733.tif 000003
【図２】
0003170733.tif 000004
【図３】
0003170733.tif 000005
【図４】
0003170733.tif 000006
【図５】
0003170733.tif 000007
(57)【要約】      （修正有）【課題】荷物を大量に積んだ状態でも、容易に四輪作業台車の方向転換を可能にする一輪車を提供する。【解決手段】一輪車は、自転車の前輪車輪、車輪を支持するフォーク、フォークを上下方向に伸縮するパンタグラフジャッキ、及び、四輪作業台車本体の主フレームの角管に沿って下方より嵌合する溝型断面の嵌合部品を順次下から配設して構成される。【選択図】図２
0003170749.tif 000002
【実用新案登録請求の範囲】
【請求項１】
操舵輪を設けない、４本の固定輪で転動する四輪作業台車の方向転換を補助する一輪の四輪作業台車方向転換用一輪車にあって、当該一輪車は転動する自転車の前輪車輪、同車輪を支持するフォーク、同フォークを上下方向に伸縮するパンタグラフジャッキ、及び四輪作業台車本体の主フレームの角管に沿って下方より嵌合する溝型断面の嵌合部品で構成し、当該嵌合部品の下部とパンタグラフジャッキの上部を連結し、パンタグラフジャッキの下部はフォーク上部と連結し、前述の４つの部品を順次下から、自転車の前輪車輪、フォーク、パンタグラフジャッキ、及び嵌合部品と配設し、当該嵌合部品は四輪作業台車の前後いずれかの主フレームの中心部に取り付ける、前述の４つの部品より構成する事を特徴とする四輪作業台車方向転換用一輪車。
【考案の詳細な説明】
【技術分野】
【０００１】
本考案は、圃場内に持ち込み、固定した四つの車輪で支えられて、少なくとも一つの畝を跨いで畝溝を直線移動しながら、主な作業として、収穫した野菜を圃場外に搬出する四輪作業台車（ここに述べる四輪台車は、人力又は動力移動を問わず、４輪共固定輪で、操舵輪を設けていない）の方向転換を補助する一輪車に関する。
【背景技術】
【０００２】
従来の作業方法は四輪作業台車に、例えばキャベツを直接又はダンボール箱に詰めたもの等、収穫物を積みながら人力で移動して満載にするが、畝の端で、作業道に出て、又は農道や一般道に出て、方向転換をする必要が起こる場合が多い。キャベツのダンボール箱を２５０ｋｇ前後積む例が多く、四輪作業台車の前後いずれかの本体主フレーム中心部を人力で持ち上げ、二輪を浮かせて人間が横方向に歩いて方向をかえている。
【考案の概要】
【考案が解決しようとする課題】
【０００３】
以上に述べた従来の作業方法は、単純計算で１２５ｋｇを持ち上げる腕力が必要で、男性でもできない人が多く、積載量を減らし、移動回数を増やす事で対応している。
【０００４】
本考案は、このような従来の四輪作業台車が有する問題を解決しようとするものであり、非力な老若男女でも、簡単容易に四輪作業台車の方向転換を可能にすることを目的とするものである。
【課題を解決するための手段】
【０００５】
そして、本考案は上記目的を達成するために、四輪作業台車本体主フレームの前又は後ろの中央部にフォークに組み込んだ車輪を一輪配設し、前述のフォークは四輪作業台車本体主フレームとの間に伸縮手段としてパンタグラフジャッキを配して連結し、当該パンタグラフジャッキ上部を着脱容易な手段で四輪作業台車本体主フレームに取り付ける構造とした。尚、当該一輪の転動方向は本体に取り付けている四輪の転動方向と９０度の角度で取り付ける。
但し、ここにフォークとは自転車前輪のフォークと同じ機能（車輪中心軸を支持する）の部品で、操縦管に相当する部分が無いもの（以後、フォークと呼ぶ）を意味する。
【考案の効果】
【０００６】
上述したように本考案の四輪作業台車方向転換用一輪車は、荷物を多量に積んだ状態で、畝の端で、作業道に出て、又は農道や一般道に出て四輪作業台車の方向を転換する際に、非力な人でも簡単に実行できる。着脱式なので、現在手持ちの四輪作業台車にオプションとして追加して利用するもので、本作業中は配設していないので邪魔にならない。
【図面の簡単な説明】
【０００７】
【図１】本考案の四輪作業台車方向転換用一輪車の実施例を示す平面図である。
【図２】矢視Ｘ−Ｘの側面図である。
【考案を実施するための形態】
【０００８】
畝を跨ぐ四輪作業台車、当該台車の方向転換の方法で、人力で持ち上げる作業をジャッキに置き換え、人力で持ち上げた状態で横歩きするする作業を車輪が転動するようにした。
【実施例】
【０００９】
以下、本考案の実施の形態を図１〜図２に従い説明する。１は四輪作業台車本体を支持転動する車輪で、操舵輪は無く、４輪とも固定輪である。Ｓは説明の都合で決めた四輪作業台車の進行方向で、逆向きにも動く。点線で楕円のＦ及びＡは本考案の四輪作業台車方向転換用一輪車３を取り付ける位置を示し、Ａに取り付けた場合の説明をする。
【００１０】
2は四輪作業台車本体主フレームで、同フレームの後部本体主フレーム２−ｂの中間点のＡに、本考案の四輪作業台車方向転換用一輪車３を、当該一輪車３の嵌合部分３−ａで取り付け、当該一輪車のパンタグラフジャッキ３−ｂをジャッキダウンしてフォーク３−ｃ及び３−ｄを下方に伸ばす事で、本体の車輪１−ｃ及び１−ｄは地面との間に間隙Ｄができ、両輪の接触抵抗はゼロとなる。
【００１１】
前述の状態で矢印Ｋ方向に人力で押すと、車輪１−ｂは矢印Ｋ−ｂ方向に転動し、車輪１−ａは矢印Ｋ−ａの方向に転動すし、四輪作業台車はＣ−Ｆを中心に旋回し、四輪作業台車は任意の方向に転換する。
【符号の説明】
【００１２】
１  四輪作業台車の車輪
１ａ  四輪作業台車の左前車輪
１ｂ  四輪作業台車の右前車輪
１ｃ  四輪作業台車の左後車輪
１ｄ  四輪作業台車の右後車輪
２  四輪作業台車の本体主フレーム
２ａ  四輪作業台車の本体主フレーム前部
２ｂ  四輪作業台車の本体主フレーム後部
３  四輪作業台車方向転換用一輪車
３ａ  四輪作業台車方向転換用一輪車の本体主フレームとの嵌合部分
３ｂ  四輪作業台車方向転換用一輪車のパンタグラフジャッキ
３ｃ  四輪作業台車方向転換用一輪車のフォーク
３ｄ  四輪作業台車方向転換用一輪車の車輪
Ｅ  地面
Ｄ  パンタグラフジャッキ３ｂをジャッキダウンしてできた間隙
Ｓ  四輪作業台車の説明のために決めた進行方向
【図１】
0003170749.tif 000003
【図２】
0003170749.tif 000004
(57)【要約】【課題】極薄の液晶ディスプレイ、小型ビデオカメラ、スイッチを利用して、左右反転しない鏡の役割を果たす液晶ディスプレイを提供する。【解決手段】スイッチ５をオンにすると電源供給部８からの電源供給により、小型ビデオカメラ４を通して見た動画が本体１にリアルタイムで映し出される。本体１もしくは小型ビデオカメラ４の画像を電子的に左右反転させる機能により、ビデオカメラを自分に向けた場合は画像が左右反転するため、結果として左右反転しない画像が映し出される鏡の役割を果たす。【選択図】図１
0003170703.tif 000002
【実用新案登録請求の範囲】
【請求項１】
本考案の左右反転しない鏡の役割を果たす液晶ディスプレイは、本体（１）が極薄の液晶ディスプレイで、表面（２）に埋め込まれた小型カメラ（４）で撮影した動画をリアルタイムで本体（１）に映し出す。映し出された動画は本体（１）もしくは小型ビデオカメラ（４）の電子的に左右反転した動画を映す機能により、あらかじめ左右反転している。自分にビデオカメラを向けた場合は鏡のように像が左右反転するため、本考案では結果として左右反転していない像が得られる。スイッチオン、オフの操作はスイッチ（５）で行う。
【考案の詳細な説明】
【技術分野】
【０００１】  本考案は左右が反転しない鏡像を提供するための液晶ディスプレイ器具に係わる。
【背景技術】
【０００２】  従来から、鏡は左右が反転するのが当然のものと一般に受け止められている。しかし一部では左右が反転しない鏡を考案した者がおり、実用化もされている。【０００３】  例えば、二枚の鏡を使うことで像の左右を交換し、結果左右が反転しない鏡像を提供する鏡が考案されている。（特許文献１）
【先行技術文献】
【特許文献１】特許公開２００２−３５５１５３
【考案の概要】
【考案が解決しようとする課題】
【０００４】  しかしながら、特許文献１の鏡では構造上、鏡全体の幅が厚くなり、また、一方向から映した場合にしか使えない。【０００５】  本考案は、極薄の液晶ディスプレイと小型ビデオカメラを組み合わせて用いることで、左右反転しない鏡像を映す擬似的な鏡を提供することを目的とする。【０００６】  本考案によれば、極薄の液晶ディスプレイと一体化した小型ビデオカメラにより、従来の鏡と同じ使い勝手で左右反転しない鏡像を得ることができる。また、特許文献１のように一方向から映した場合にだけしか使えないのではなく、小型ビデオカメラが映せる範囲すべてから左右反転しない鏡像を得ることができる。
【課題を解決するための手段】
【０００７】  本考案の液晶ディスプレイは、小型ビデオカメラとその動画をリアルタイムで映し出す極薄の液晶ディスプレイと電源スイッチが一体になったものである。板のような形状に近づけることにより、従来の鏡と同じような使い勝手が得られる。
【考案の効果】
【０００８】  本考案の液晶ディスプレイによれば、近年発達した極薄液晶ディスプレイと小型ビデオカメラにより、鮮明な像を得ることができる。自分で自分にビデオカメラを向けた場合は、鏡と同じく左右が反転してしまうが、あらかじめ小型ビデオカメラを動画が電子的に左右反転する構造にしておく、もしくは液晶ディスプレイを電子的に左右反転した動画を映し出す構造にしておくことにより、結果として左右反転しない像を得ることができる。例えば動画のリアルタイム左右反転は市販のソフトなどでもすでに実現している。また、昨今の液晶ディスプレイ・小型ビデオカメラの低価格化により、一般家庭にも導入しやすい価格帯を実現することができる。
【考案を実施するための形態】
【０００９】  以下、本考案の液晶ディスプレイをその実施の最良の形態について図面に示す実施例に基づいて具体的に説明する。
【００１０】  図１は本考案の実施例を示すものであり、本体１は極薄の液晶ディスプレイである。表面２には小型ビデオカメラ４、スイッチ５が組み込まれる。全体をカバー６、カバー７で覆う。移動の際はカバー部を手に持つことで液晶部分を保護する。本体１、小型ビデオカメラ４のどちらかを電子的に左右反転した動画を映し出す構造にしておく。
なお、電源供給部８はコンセント式、充電池式の二つが考えられる。充電池式でも現在は極薄の充電池が開発されているため外観を損なうことはない。
【００１１】  以下にこの液晶ディスプレイを使用する方法を説明するが、本考案を実施するにあたり、この説明・手順に限定されるものではない。
【００１２】  本実施例では、電源供給部８より電源を供給し、スイッチ５をオンにすると、本体１に小型ビデオカメラ４を通して見た動画が映る。映し出された動画は本体１もしくは小型ビデオカメラ４に備わった電子的に左右反転した動画を映す機能により、あらかじめ左右反転している。本実施例のようにビデオカメラを自分に向けた場合は鏡のように動画が左右反転するため、結果として左右反転していない動画を映し出す。使用しないときはスイッチ５をオフにする。
【図面の簡単な説明】
【００１３】
【図１】（ａ）、（ｂ）はそれぞれ本願考案の左右反転しない鏡の役割を果たす液晶ディスプレイの正面、背面斜視図である。
【図２】（ｃ）は本願考案の左右反転しない鏡の役割を果たす液晶ディスプレイの内部構造のイメージ図である。
【符号の説明】１・・・・・・・液晶ディスプレイ本体
２・・・・・・・表面
３・・・・・・・裏面
４・・・・・・・小型ビデオカメラ
５・・・・・・・スイッチ
６・・・・・・・カバー
７・・・・・・・カバー
８・・・・・・・電源供給部
【図１】
0003170703.tif 000003
【図２】
0003170703.tif 000004
【手続補正書】
【提出日】平成23年7月9日(2011.7.9)
【手続補正１】
【補正対象書類名】実用新案登録請求の範囲
【補正対象項目名】全文
【補正方法】変更
【補正の内容】
【実用新案登録請求の範囲】
【請求項１】
本考案の左右反転しない鏡の役割を果たす液晶ディスプレイは、本体（１）が極薄の液晶ディスプレイで、表面（２）に埋め込まれた小型カメラ（４）で撮影した動画をリアルタイムで本体（１）に映し出し、映し出された動画は本体（１）もしくは小型ビデオカメラ（４）の電子的に左右反転した動画を映す機能により、あらかじめ左右反転しており、自分にビデオカメラを向けた場合は一般的な鏡とは逆に像が左右反転するため、本考案では結果として左右反転していない像が得られる、スイッチオン、オフの操作はスイッチ（５）で行う液晶ディスプレイ。
(57)【要約】      （修正有）【課題】夏物スラックスの内側にステテコ素材による附属を使用して通気性を良くし、べとつきの少ない構造にした夏物のスラックスを提供する。【解決手段】今までのスラックスでは腰裏１０、ポケット地１１、ひざ当て１２、後ろ裏１３などの素材は普通の織物及びトリコット等が一般的で夏物専用としての素材は無く夏、冬同じものを使用していた関係上夏場では余り涼しさが感じられなかった。そこで、夏物衣料として最適なステテコを腰裏、ポケット地、ひざ当て、後ろ裏等に使用する。これにより、ステテコの表面が直接身体に触れるため、通気性がありべたつき感も少なく、心地よい涼しさを保つことができる様になる。【選択図】図１
0003170706.tif 000002
【実用新案登録請求の範囲】
【請求項１】
ステテコ素材をスラックスの附属として使用した夏物スラックスの構造
【考案の詳細な説明】
【技術分野】
【０００１】この考案はステテコ用素材をスラックスの中に使用し、夏涼しく穿き心地の良いスラックスを提案する。
【背景技術】
【０００２】スラックスの腰裏、ポケット地、ひざ当て、後ろ裏をステテコ素材にすることにより通気性が良く汗によるべたつきが少なく涼しく感じる。
【考案が解決しようとする課題】
【０００３】今までのスラックスでは腰裏、ポケット地、ひざ当て、後ろ裏などの素材は普通の織物及びトリコット等が一般的で夏物専用としての素材は無く夏、冬同じものを使用していた関係上夏場では余り涼しさが感じられなかった。
【考案の効果】
【０００４】夏物衣料として最適なステテコを腰裏、ポケット地、ひざ当て、後ろ裏等ステテコの表面が直接身体に触れるため通気性がありべたつき感も少なく心地よい涼しさが保ちます。
【図面の簡単な説明】
【０００５】
【図１】スラックスの内側
【符号の説明】
【０００６】１０  ステテコ地の腰裏
１１  ステテコ地のポケット
１２  ステテコ地のヒザ当て
１３  ステテコ地の後ろ裏
【図１】
0003170706.tif 000003
【手続補正書】
【提出日】平成23年7月15日(2011.7.15)
【手続補正１】
【補正対象書類名】実用新案登録請求の範囲
【補正対象項目名】全文
【補正方法】変更
【補正の内容】
【実用新案登録請求の範囲】
ステテコ素材を腰裏、ポケット地、ひざ当て、後ろ裏に使用した夏物スラックスの構造。
(57)【要約】      （修正有）【課題】串で口内や喉を刺す等の怪我や、口の周りや手を汚す等の心配をすることがない串を提供する。【解決手段】直線状に形成した二本刺し串の両先端を尖らせて、これら二本刺し串のそれぞれに食品を刺すとともに、二本刺し串の両先端を向かい合わせて刺し合う構造とすることを特徴とする二本刺し串を実現する。【選択図】図１
0003170773.tif 000002
【実用新案登録請求の範囲】
【請求項１】
直線状に形成した二本の串の両先端を尖らせて、これら二本の串のそれぞれに食品を刺すとともに、二本の串の両先端を向かい合わせて刺し合う構造とすることを特徴とする、二本刺し串。
【考案の詳細な説明】
【技術分野】
【０００１】
この考案は、複数の食材を直線状に串刺しにする二本刺し串に関するものである。
【背景技術】
【０００２】
従来より、野菜、魚肉、畜肉、臓器および団子などの塊状食材を竹串などの串具に串刺しにし、加熱等の調理を行い提供することは良く知られている。
このような串刺しにされた塊状の食材は、串刺しされた先端部位より歯でくわえて串より抜き取ってそのまま食している。そして、同様に先端部位の隣の食材を食べる際にはその食材を串の先端方向にスライドさせて食している。
【０００３】
また、受け皿（食器）の縁に串の通る溝を設け、そこに串を置いて引き抜く様にして食材を受け皿に落とす方法や、前以て串に折れ目を入れ、食べ終わった部分の串を折って捨てる方法などがある。
【先行技術文献】
【特許文献】
【０００４】
【特許文献１】特開平１０−１０９１０９
【考案の概要】
【考案が解決しようとする課題】
【０００５】
鍔状の物で押し出す方法では串毎に取り付けなければならない為コストが嵩み、手間も掛かり、受け皿に溝を設ける方法では、室内での使用には適しているものの、持ち運びや外での飲食には適さないとともに、コストが嵩む。
【０００６】
さらに、串を途中で折る方法では、最後に残った食材についているタレ等で手が汚れる事や、食材に触れる確率が高くなり衛生上好ましくない。本考案は、これらの欠点を除く為になされたものである。
【課題を解決するための手段】
【０００７】
この考案は、直線状に形成した二本刺し串の両先端を尖らせて、これら二本刺し串のそれぞれに食品を刺すとともに、二本刺し串の両先端を向かい合わせて刺し合う構造とすることを特徴とする。このような二本差し串とすることにより、串で口内や喉を刺す等の怪我や、口の周りや手を汚す等の心配をすることがなく、お年寄りや女性や子供にも安心である。
【考案の効果】
【０００８】
短い二本の串にしたことで、串で口内や喉を刺す等の怪我や、口の周りや手を汚す等の心配をすることがなく、お年寄りや女性や子供にも安心である。
【図面の簡単な説明】
【０００９】
【図１】本考案の実施例を示す全体図
【図２】二本刺し串を分離した状態の説明図
【図３】二本差し串の利用状態を示す説明図
【考案を実施するための形態】
【００１０】
以下、本考案の実施例を図面に基づき詳細に説明する。
【実施例】
【００１１】
図１は本考案の実施例を示す全体図であるが、直線状に形成した二本刺し串A及びBの手元部位に握り部分１及び３を形成するともに、それぞれの他の端部の先端を尖らせた先端部２及び４を形成する。二本刺し串A及びBの全長は各々１００ｍｍ程度が適当な長さである。また、この二本刺し串A及びBの材質は、出来れば竹の節の部位を使用することが望ましい。二本刺し串A及びBのそれぞれに食品の塊５乃至８を挿通させる。そして、図２に示すように、二本差し串Aに挿通された食品の塊６が二本差し串Aの先端部２を二本差し串Bの食品の塊７に挿通させることにより、二本刺し串A及びBが直線状となるようにする。この状態で食品の塊５乃至８は加熱等の処理が施され顧客に供される状態となる。顧客がこれらを食するときには、図３に示すよう、二本刺し串A及びBを左右に引き離すことにより短めの二本となる。
【産業上の利用可能性】
【００１２】
この考案は、複数の食材を直線状に串刺しにする串に関するものである。
【符号の説明】
【００１３】
A  二本串の一方の串
B  二本串の他の一方の串
１  握り部分
２  二本串の先端
３  握り部分
４  二本口の先端
５  食品の塊
６  食品の塊
７  食品の塊
８  食品の塊
【図１】
0003170773.tif 000003
【図２】
0003170773.tif 000004
【図３】
0003170773.tif 000005
(57)【要約】      （修正有）【課題】着用時に、より暖かく快適なパンツを提供する【解決手段】腰裏及びポケット袋地をフリースにすることにより暖かく快適になる。スラックスの腰裏及びポケット袋地にフリースを使用するだけなので縫製工程も簡単でコストを上げることなくウォームビズとして最適。従来の腰裏及びポケット仕様は夏冬同じ素材で薄い袋地が使用されており冬においては暖かくなかった。フリースを使用することにより腰回り及び尻回りが暖かく身体によりフィットした快適な着心地が得られる。【選択図】図１
0003170728.tif 000002
【実用新案登録請求の範囲】
【請求項１】
パンツの腰裏及びポケット袋地にフリースを使用することで暖かさを特徴としたパンツ
【考案の詳細な説明】
【技術分野】
【０００１】この考案は、パンツの腰裏及びポケット袋地にフリースを使用することにより従来の裏地使かいよりもはるかに暖かく快適。
【背景技術】
【０００２】スラックスの腰裏及びポケット袋地にフリースを使用するだけなので縫製工程も簡単でコストを上げることなくウォームビズとして最適です。
【考案が解決しようとする課題】
【０００３】従来の腰裏及びポケット仕様は夏冬同じ素材で薄い袋地が使用されており冬においては暖かくありませんでした。
【考案の結果】
【０００４】フリースを使用することにより腰回り及び尻回りが暖かく身体によりフィットした快適な着心地が得られます。
【図面の簡単な説明】
【０００５】
【図１】パンツ腰裏及びポケット袋地フリース使い
【符号の説明】
【０００６】１０  腰裏フリース
１１  ピスポケットフリース
１２  脇ポケットフリース
【図１】
0003170728.tif 000003
(57)【要約】      （修正有）【課題】軽くて軟らかく、綿切れや吹ぬけが発生しにくく詰綿用素材に適した崇高性長繊維不織布を提供する。【解決手段】熱接着された熱可塑性繊維の長繊維不織布やスパンボンド不織布の各単繊維に多数の穴を穿孔し各単繊維にタルミを与え網目状とし、更にこれを押込捲縮機に押込み不織布に不規則な捲縮やちぢれを与える。【選択図】図３
0003170725.tif 000002
【実用新案登録請求の範囲】
【請求項１】
熱接着された熱可塑性繊維の長繊維不織布及びスパンボンド不織布に先端が鋭利で且針全体の各部にわたり突起等の引掛り部分が付与されていない針を用いて各単繊維を極力損傷しないように規則的又は不規則的に多数の穴を穿孔し全体を網目状として通気性を良くするとともに軟らかくし、更にこれを押込捲縮機等に押込み非加熱又は加熱することにより不織布全体に不規則に捲縮やしわ状をほどこし通気性の良い柔軟性や嵩高性を付与したことを特長とする嵩高性長繊維不織布である。
【考案の詳細な説明】
【考案の詳細な説明】
【産業上の利用分野】
【０００１】  本考案の不織布は長繊維不織布でありながら軽くて軟らかく且、嵩高性に富んでいるもので短繊維使用のものと異なり各単糸が強固に熱接着されていることから綿切れや吹ぬけ等の欠点のない、長繊維詰綿用素材として特に優れたものである。又フィルターや衛生材料、清掃用材料としても有効な素材である。
【背景技術】
【０００２】  従来詰綿として利用されているものは一般に短繊維が多く長繊維の場合は長繊維の集束されたものを解繊し一部樹脂接着等により利用されているものが多い。然しこのままで利用する場合嵩高性が充分得られず、又単繊維の接合も完全ではなく各単繊維の分離が起り不都合が多い、即ち詰綿用として使用した場合側地や縫目より剥離した単繊維の吹ぬけが発生することから側地の選定や縫製に細心の注意が求められ制約が多い、本考案の長繊維不織布は各単繊維が強固に熱接着されているので吹ぬけがなく広範囲の側地を採用することが出来、縫目についても特に考慮しなくても良い。又ほこりが出ないことも優れた特長である。
【考案が解決しようとする課題点】
【０００３】  本考案は熱接着された長繊維不織布又はスパンボンド不織布に多数の不規則な針穴を穿孔し軟らかさと通気性を与え更に押込捲縮機により不規則で多数の捲縮やちぢれを加え嵩高性と保湿性を付与したものである。熱接着された不織布であるから各単糸は強固に接着されており、はがれ、分離は殆どなく特に詰綿用としては極めて優れたものである。詰物の製品加工に於ても各単糸の分離が殆んど起こらなく糸切れもないので側地よりの吹抜けも起らず考慮する必要がなく広範囲の生地を採用出来る利点がある又縫製においても針穴よりの吹ぬけがないのも優れた特長である。
【課題を解決するための手段】
【０００４】  本考案は熱接着された長繊維不織布やスパンボンド不織布を用いこれに先端が鋭利であり且針全体にわたり突起のような引掛り部分のない針を用いて各短繊維が出来るだけ損傷されないように多数の穴を穿孔し不織布の強力を極力低下させないで各単糸の切断が起らないようにし不織布に軟らかさや通気性を与え更に押込捲縮機により不織布全体に捲縮やちぢれを付与し嵩高性を加え、軟くて軽く通気性のある暖かい長繊維詰綿用素材としたものである。
【実施例】
【０００５】  以下実施例について詳細に説明する。実施例は次の通りである。ポリエステルスパンボンド不織布３０ｇ／ｍ２を用いゲージが１／８インチの多針機により３ミリメーターのピッチで多数の穴を穿孔し網目状とし更に押込捲縮機に３ｍ／分の速度で押込み１２０℃で熱固定し通気性のよい軽くて軟かい嵩高性のある優れた詰綿用素材を得ることが出来た。
【考案の効果】
【０００６】  本考案は熱可塑性繊維の長繊維不織布及びスパンボンド不織布を用いて各単繊維が出来るだけ損傷されないようにして強度を保ちながら多数の穴を穿孔し図１、図２のような穴のあいた網目状の不織布としたものである。更にこの不織布に捲縮やちぢれを与え通気性が良く柔軟性があり嵩高性のある長繊維詰綿用素材としたものである。この素材は軽くて保温性がよく又長繊維の風合をもちながら長繊維の欠点である単繊維の吹ぬけが起らないので詰綿製品の場合側地の選定や縫目についても考慮することなく多様な商品をつくることが出来る優れた詰綿用素材としたものである。また洗濯性がよくホコリが出にくいことも特長である。
【図面の簡単な説明】
【図１】  網目状の不織布の表面の状態についての概要図
【図２】  網目状の不織布の側面の穿孔された穴の部分の断面図
【図３】  網目状不織布に不規則な捲縮やちぢれを与えた表面の概要図
【図１】
0003170725.tif 000003
【図２】
0003170725.tif 000004
【図３】
0003170725.tif 000005
(57)【要約】      （修正有）【課題】ショルダーパッドの上面に飾りを取り付けられる構造のショルダーパッドを提供する。【解決手段】ショルダーベルトに装着する時に必要となる開閉部分を下面即ち肩にあたる部分に設ける事により上面のスペースに飾りを取り付ける事ができる。ショルダーパッドの上面に小動物のぬいぐるみなどを取り付けて使用すれば、インパクトのある視覚効果が得られる。留めたホックがショルダーベルトの下側に位置するためバッグの荷重により使用中はホックが外れにくい。従来のショルダーパッドのクッション材は長手方向の縁が肩に接触しているために摩擦が少なくズレ落ちてしまうが、本ショルダーパッドのクッション材は一定の厚みがあり肩の形状に凹み、面で接触するために摩擦が大きくなりズレ落ち防止に効果がある。【選択図】図１
0003170722.tif 000002
【実用新案登録請求の範囲】
【請求項１】
ショルダーベルトに装着する時に必要な開閉部分が下面に設けられ、肩にあたる部分にはクッション材が取り付けられ、上面に飾りを固定して取り付ける事を特徴とするショルダーパッド。
【請求項２】
肩にあたるクッション材は軟質素材で一定の厚みがあり、わずかな荷重でも肩の形状に沿って凹む素材を取り付けた請求項１に記載のショルダーパッド。
【請求項３】
ショルダーパッドの上面にぬいぐるみ、リボン、キャラクター人形、花、等の飾りを取り付けられる請求項１に記載のショルダーパッド。
【考案の詳細な説明】
【考案の詳細な説明】
【技術分野】
【０００１】  本考案はバッグ等のショルダーベルトに取り付けて使用し、ベルトのズレ落ち防止機能とショルダーパッドに取り付けた飾りによりインパクトのある視覚効果を持ったものである
【背景技術】
【０００２】  従来のショルダーパッドは荷重を分散して肩の負担を軽減したり、滑り止め素材を使用したものであり、ショルダーベルトに取り付けると言う観点から着脱の容易さやファッション性に欠けている。
【先行技術文献】
【特許文献】
【０００３】
【特許文献１】  実用新案登録３１６４７６９
【考案の概要】
【考案が解決しようとする課題】
【０００４】  本考案は、既存のバッグのショルダーベルトに取り付けて使用するため容易に着脱できる開閉構造でなければならない。【０００５】  視覚的に周囲にインパクトを与えるファッション性とショルダーベルトのズレ落ち防止機能を備えた物を提供する。
【課題を解決するための手段】
【０００６】  ショルダーベルトに装着する時に必要となる開閉部分をショルダーベルトの下面、即ち肩にあたる部分に設ける事によりショルダーパッドの上面が自由なスペースになる。このスペースにぬいぐるみ、リボン、キャラクター人形、花、等の飾りを取り付ける。【０００７】  このショルダーパッドの装着方法はショルダーベルトを中央に置き巻くように三つ折りにしてホックで留めるシンプルで容易に着脱できる物である。【０００８】  このショルダーパッドのクッション材は軟質で一定の厚みがありバッグの荷重で肩の形状に凹む物である。
【考案の効果】
【０００９】  ショルダーパッドの上面に小動物のぬいぐるみなどを取り付けて使用すれば、本物の動物が肩に乗っているようなインパクトのある視覚効果が得られる。【００１０】  留めたホックがショルダーベルトの下側に位置するためバッグの荷重により使用中はホックが外れにくい効果がある。【００１１】  従来のショルダーパッドのクッション材は長手方向の縁が肩に接触しているために摩擦が少なくズレ落ちてしまうが、本考案のショルダーパッドのクッション材は一定の厚みがあり肩の形状に凹み、面で接触するために摩擦が大きくなりズレ落ち防止に効果がある。
【図面の簡単な説明】
【００１２】
【図１】ショルダーベルトに取り付けた状態の本考案の斜視図。
【図２】ショルダーパッドを開いた状態の平面図。
【図３】ショルダーパッドを開いた状態の正面図。
【図４】ショルダーパッドを閉じた状態の正面図。
【図５】ショルダーパッドを閉じた状態の断面図。
【図６】従来のショルダーパッドが肩に接触している状態の図。
【図７】本考案のショルダーパッドが肩に接触している状態の図。
【図８】ロゴマーク入りのショルダーパッド本体にリボンを吊り下げた例である。
【図９】半立体の飾りの付いたショルダーパッド本体にキャラクター人形を吊り下げた例である。
【図１０】絵柄入りショルダーパッド本体に花を吊り下げた例である。
【図１１】使用状態を示した図。
【符号の説明】１．ショルダーパッド本体
２．ホック（ａオス  ｂメス）
３．クッション材
４．既存のショルダーベルト
５．ぬいぐるみ
６．骨
７．リボン
８．キャラクター人形
９．花
１０．ボールチェーン
【考案を実施するための形態】
【００１３】  図３に示すようにショルダーパッドの中央下面にショルダーベルトを置きショルダーパッド両端部分イ，ロ，の順でショルダーベルトを巻くように内側に折り込みホックで取り付ける。図４参照。
【００１４】  図５に示すように筒状になったショルダーパッドの中にショルダーベルトが通った状態になる。又、ショルダーベルトの下にあるホックにはバッグの荷重がかかり外れにくい構造になっている。
【００１５】  図６に示すように従来のショルダーパッドは滑り止め効果のある素材を使用しても肩の湾曲に沿ってパッドの縁が肩（衣服）と接触している状態なので摩擦が少なくズレ落ちてしまう。
【００１６】  図７に示すように本考案のショルダーパッドはクッション材に一定の厚みのある軟質素材を使用するため、バッグのわずかな荷重でも肩の形状に沿って凹み面で肩（衣類）と接触するために摩擦が大きくなりズレ落ち防止に効果がある。
【００１７】  ショルダーパッド本体は表面にロゴマークや絵柄などを印刷できる軟質なものである。
【産業上の利用可能性】
【００１８】  人の目線上にある肩の位置に付加価値として企業キャラクターやロゴマークを付ければ効率的に周知する事ができ宣伝効果にもなる。
【図１】
0003170722.tif 000003
【図２】
0003170722.tif 000004
【図３】
0003170722.tif 000005
【図４】
0003170722.tif 000006
【図５】
0003170722.tif 000007
【図６】
0003170722.tif 000008
【図７】
0003170722.tif 000009
【図８】
0003170722.tif 000010
【図９】
0003170722.tif 000011
【図１０】
0003170722.tif 000012
【図１１】
0003170722.tif 000013
(57)【要約】      （修正有）【課題】液晶タッチパネルの操作を行うための、専用の指サックを提供する。【解決手段】指サック１は、指にやじみやすい布製で作成し、伸縮性・通気性に富んだ柔らかな皮膚感覚のポリエステル・ポリウレタン製の生地を使用し、筒状に形成する。指サックの先部４は、パネルと指サックとの摩擦によって発生する静電気を起こしやすくするために、超極細繊維のアクリル製の素材を用いる。指サックの差し込み部２は、締め付けすぎないゴム等でソフトな弾性をもたせる。指サックは小さくて失くしやすいので、ゴム等の伸縮性のある細い紐３で人差し指の指サックと、親指の指サックをつないでおくことを特徴とする液晶タッチパネル用指サック。【選択図】図１
0003170724.tif 000002
【実用新案登録請求の範囲】
【請求項１】
指サックは、指になじみやすい布製で作成し、伸縮性・通気性に富んだ柔らかな皮膚感覚のポリエステル・ポリウレタン製の生地を使用し、筒状に形成し、指サックの先部は、パネルと指サックとの摩擦によって発生する静電気を起こしやすくするために、超極細繊維のアクリル製の素材を用い、指サックの差し込み部は、締め付けすぎないゴム等でソフトな弾性をもたせ、指サックは小さくて失くしやすいので、ゴム等の伸縮性のある細い紐で、人差し指の指サックと親指の指サックをつないでおくことを特徴とする液晶タッチパネル用指サック。
【考案の詳細な説明】
【技術分野】
【０００１】  本考案は、液晶タッチパネルを操作する時の専用の指サックに関するものである。
【背景技術】
【０００２】  従来、中指、人指し指用のホルダー付きの指サック（特許文献１参照）や、めがね拭き用の指サック（特許文献２参照）等があった。
【特許文献１】特許公開平８−１５６４５２号公報
【特許文献２】登録実用新案第３１２５１８６号
【考案の開示】
【考案が解消しようとする課題】
【０００３】  そのために次のような問題点があった。
（イ）伝票めくり、めがね拭き等、各々材質や用途が特定性を持っているためタッチパネ      ル用には不向きであった
（ロ）操作のため、パネルに指サックが触れて、静電気を起こすための素材の選択が大変      難しかった。
（ハ）液晶タッチパネルは繰り返しの操作で、手あかが付き、パネルが汚れる。
（ニ）長爪はパネルに当たりやすくて傷つきやすく、指先の傷、指先のあれ、指先の乾燥      にも、パネルと指を保護するための、素材の選択が難しかった。
【課題を解消するための手段】
【０００４】  指サックは、指になじみやすい布製で作成し、伸縮性・通気性に富んだ柔らかな皮膚感覚のポリエステル・ポリウレタン製の生地を使用し、筒状に形成する。指サックの先部は、パネルと指サックとの摩擦によって発生する静電気を起こしやすくするために、超極細繊維のアクリル製の素材を用いる。指サックの差し込み部は、締め付けすぎないゴム等でソフトな弾性をもたせる。指サックは小さくて失くしやすいので、ゴム等の伸縮性のある細い紐で、人差し指の指サックと親指の指サックをつないでおく。
以上を特徴とする液晶タッチパネル用指サックである。
【考案の効果】
【０００５】  指サックの先部が超極細繊維のアクリル製の素材を設けたことで、パネルと指サックとの摩擦で静電気が発生しスムーズに操作ができる。伸縮性、通気性に富んだ柔らかな皮膚感覚のポリエステル・ポリウレタン製の生地を使用したことで、繰り返しの操作でも、指に圧迫感やむれがなく、長時間、使用しても支障がない。長爪、指先の傷、指先のあれ、指先の乾燥等にも指サックの先部でカバーができ、液晶パネルに手あかが付かず、長爪でパネルを傷付ける心配もない。先部の周面が超極細繊維のアクリル製の素材のため、左手、右手、どちらの指でも使用が可能である。総じて液晶タッチパネルにも指にも優しく、安心して操作ができる。
【図面の簡単な説明】
【０００６】
【図１】本発明を装着した状態を示す正面図
【図２】本発明の装着した状態を示す背面図
【図３】本発明の人指し指に装着した状態を示す側面図
【図４】本発明の親指に装着した状態を示す側面図
【考案を実施するための形態】
【０００７】  以下、本考案の実施の形態を説明する。
（イ）指サック（１）は、指になじみやすい布製で作成し、伸縮性・通気性に富んだ柔ら      かな皮膚感覚のポリエステル・ポリウレタン製の生地を使用し、筒状に形成する。
（ロ）指サック（１）の先部（４）は、パネルと指サック（１）との摩擦によって発生す      る静電気を起こしやすくするために、超極細繊維のアクリル製の素材を用いる。
（ハ）指サック（１）の差し込み部（２）は締め付けすぎないゴム等で、ソフトな弾性を      もたせる。
（ニ）指サック（１）は小さくて失くしやすいので、ゴム等の伸縮性ある細い紐（３）で      、人差し指の指サック（１）と親指の指サック（１）をつないでおく。
本案は以上のような構成でこれを使用するときは、指サック（１）の差し込み部（２）をつまみ、人差し指と親指を、指サック（１）の先端まで差し込んで装着するだけ。不使用時にも人差し指用と親指用は紐（３）でつながったままなので、再度指サック（１）を使用したい時は、いつでもすぐに親指・人差し指に同時に装着でき、片方だけが見つからなかったりして探し回ることもない。いつでもスムーズに操作が開始でき、指先も終始気持良く作業できる。
【符号の説明】
【０００８】１  指サック
２  差し込み部
３  紐
４  先部
５  長爪
【図１】
0003170724.tif 000003
【図２】
0003170724.tif 000004
【図３】
0003170724.tif 000005
【図４】
0003170724.tif 000006
(57)【要約】      （修正有）【課題】自動車等の内燃機関におけるエネルギー変換効率を向上させ、酸化排気ガスを減少させるようにした内燃機関用マイナスイオン発生装置を提供する。【解決手段】電子放射電極７を突設させた電子放射式のマイナスイオン発生器１を内燃機関におけるエアインテークパイプ１１とフューエルパイプとにそれぞれ外設し、当該各マイナスイオン発生器１の電子放射電極７を該エアインテークパイプ１１と該フューエルパイプとにそれぞれ貫入させて内燃機関用マイナスイオン発生装置とする。【選択図】図１
0003170625.tif 000002
【実用新案登録請求の範囲】
【請求項１】
電子放射電極を突設させた電子放射式のマイナスイオン発生器を内燃機関におけるエアインテークパイプとフューエルパイプとにそれぞれ外設し、当該各マイナスイオン発生器の電子放射電極を該エアインテークパイプと該フューエルパイプとにそれぞれ貫入させたことを特徴とする内燃機関用マイナスイオン発生装置。
【考案の詳細な説明】
【技術分野】
【０００１】
本考案は、内燃機関用マイナスイオン発生装置に関するものであり、特に、自動車等の内燃機関における吸気経路と燃料経路とにマイナスイオン発生器を取り付けてなる内燃機関用マイナスイオン発生装置に係るものである。
【背景技術】
【０００２】
マイナスイオン発生器としては、例えば特開２００４−７９２７３号公報に示すもの（以下「従来のマイナスイオン発生器」という。）が既に知られている。
【０００３】
この従来のマイナスイオン発生器は、図４に示すように、電源に接続された高圧発生回路２に高圧変圧器３を接続し、該高圧変圧器３には電子蓄積用の高圧ダイオード５を介して電子放射電極７を接続してなるものである。すなわち、このマイナスイオン発生器は、電子放射式のマイナスイオン発生器である。
【０００４】
上記従来のマイナスイオン発生器においては、電子放射電極７に対向電極が配設されておらず、該電子放射電極７より空間等に電子が直接放射されるようにしている。
【先行技術文献】
【特許文献】
【０００５】
【特許文献１】特開２００４−７９２７３号公報
【考案の概要】
【考案が解決しようとする課題】
【０００６】
自動車等の内燃機関におけるエネルギー変換効率は約３０〜４０％と低く、該内燃機関は有害な排気ガスを多量に排出している。
【０００７】
このような状況に鑑み、本考案は、自動車等の内燃機関におけるエネルギー変換効率を向上させ、酸化排気ガスを減少させるようにした内燃機関用マイナスイオン発生装置を提供しようとしてなされたものである。
【課題を解決するための手段】
【０００８】
上記課題を解決するために、本考案は、下記の内燃機関用マイナスイオン発生装置を提供する。
【０００９】
電子放射電極を突設させた電子放射式のマイナスイオン発生器を内燃機関におけるエアインテークパイプとフューエルパイプとにそれぞれ外設し、当該各マイナスイオン発生器の電子放射電極を該エアインテークパイプと該フューエルパイプとにそれぞれ貫入させたことを特徴とする内燃機関用マイナスイオン発生装置。
【考案の効果】
【００１０】
エアインテークパイプに外設したマイナスイオン発生器は該エアインテークパイプ内に電子放射電極より電子を放出し、空気中の酸素分子等をマイナス電荷に帯電させることにより、マイナスイオンを発生させる。フューエルパイプに外設したマイナスイオン発生器は該フューエルパイプ内に電子放射電極より電子を放出し、燃料中の炭化水素等の分子をマイナス電荷に帯電させることにより、マイナスイオンを発生させる。すなわち、該エアインテークパイプ内を通る空気中の酸素分子等のクラスターは、マイナスイオンにより細分化され、該フューエルパイプ内を通る燃料中の炭化水素等の分子のクラスターは、マイナスイオンにより細分化される。その結果、空気と燃料との混合気体の完全燃焼が促進される。
【００１１】
したがって、自動車等の内燃機関におけるエネルギー変換効率を向上させ、酸化排気ガスを減少させることができる。更に、内燃機関のパワーアップ、エンジンオイルの長寿命化等の効果が発揮される。  
【図面の簡単な説明】
【００１２】
【図１】図１は、マイナスイオン発生器を内燃機関におけるエアインテークパイプに取り付けた状態の一例を示す断面図である。
【図２】図２は、同上の別の断面図である。
【図３】図３は、マイナスイオン発生器を内燃機関におけるフューエルパイプに取り付けた状態の一例を示す正面図である。
【図４】図４は、マイナスイオン発生器の一例を示す概略図である。
【考案を実施するための形態】
【００１３】
本考案においては、電子放射式のマイナスイオン発生器１が用いられる。このマイナスイオン発生器１は、一例として、図４に示すように、電源に接続された高圧発生回路２に高圧変圧器３を接続し、該高圧変圧器３には電子蓄積用の高圧ダイオード５を介して電子放射電極７を接続してなるものである。
【００１４】
マイナスイオン発生器１は、自動車等の１２ｖ（乗用車用）、２４ｖ（トラック又はバス用）等の電源を使用し、高圧変圧器３により例えば６０００ｖ以上に昇圧させ、電子放射電極７より電子を放出させる。マイナスイオン発生器１は、好ましくは１０００万個／ｃｃ以上のマイナスイオンを発生させる。
【００１５】
電子放射電極７は、マイナスイオン発生器１より外方に突設される。
【００１６】
マイナスイオン発生器１を内燃機関における吸気経路のエアインテークパイプ１１と燃料経路のフューエルパイプ１３とにそれぞれ外設する。
【００１７】
マイナスイオン発生器１は、エアインテークパイプ１１とフューエルパイプ１３とに、一例として、接着剤１５と固定バンド１７とにより固定する。
【００１８】
マイナスイオン発生器１は、エアインテークパイプ１１とフューエルパイプ１３とに外設しているため、エアインテークパイプ１１内を通過する空気の流れを妨げるおそれがなく、フューエルパイプ１３内を通過する燃料の流れを妨げるおそれもない。
【００１９】
マイナスイオン発生器１は、エアインテークパイプ１１とフューエルパイプ１３とに、それぞれ、単数又は複数使用する。図１に示す事例においては、二つのマイナスイオン発生器１が共通のケース１９内に収納されている。
【００２０】
各マイナスイオン発生器１の電子放射電極７を該エアインテークパイプ１１と該フューエルパイプ１３とにそれぞれ貫入させる。すなわち、該エアインテークパイプ１１と該フューエルパイプ１３とにそれぞれ透孔２１を穿設し、各透孔２１に電子放射電極７を貫入させる。各マイナスイオン発生器１の電子放射電極７を該エアインテークパイプ１１内と該フューエルパイプ１３内とに、例えば１ｃｍ以内突出させる。
【符号の説明】
【００２１】
１  マイナスイオン発生器
２  高圧発生回路
３  高圧変圧器
５  高圧ダイオード
７  電子放射電極
１１  エアインテークパイプ
１３  フューエルパイプ
１５  接着剤
１７  固定バンド
１９  ケース
２１  透孔
【図１】
0003170625.tif 000003
【図２】
0003170625.tif 000004
【図３】
0003170625.tif 000005
【図４】
0003170625.tif 000006
(57)【要約】      （修正有）【課題】はがきとして使用するだけではなく、図柄・文字等付のカレンダー及び広告媒体として使用することができるカレンダー付私製はがきを提供する。【解決手段】平板の片面の一部に図柄・文字等を印刷し、その余白部分にカレンダー及び広告部分を印刷し、はがき部分との境界に切り取り線加工を施す。また、平版のもう一方の片面に郵便番号枠及び切手貼付枠を印刷する。【選択図】図１
0003170694.tif 000002
【実用新案登録請求の範囲】
【請求項１】
平版の一部に図柄・文字等を印刷し、余白部分にカレンダー及び必要に応じ広告部分を印刷する。また平版の他の一面（裏面）の図柄・文字等の対応部分に郵便番号枠・切手貼付枠を印刷し、図柄付のカレンダーとして常時展示することを特徴としたカレンダー付私製はがき（絵はがき）。
【請求項２】
請求項1の図柄・文字等とカレンダー部分との境界に切り取り線加工を施し、カレンダー使用後切り離し、私製はがき（絵はがき）として再利用することを特徴としたカレンダー付私製はがき（絵はがき）。
【考案の詳細な説明】
【技術分野】
【０００１】
本件の考案は私製はがき（絵はがき）をより有効的に活用することを目的としたものである。
【背景技術】
【０００２】
従来の私製はがき（絵はがき）は郵便はがきとして使用することを目的としたものでありました。
【考案の概要】
【考案が解決しようとする課題】
【０００３】
従来の私製はがき（絵はがき）では先方に送付することを目的とし、図柄・文字等を充分活用できていない部分がありました。
【課題を解決するための手段】
【０００４】
本考案によるカレンダー付私製はがき（絵はがき）は、余白にカレンダー部分・広告部分を設けることにより、常時展示され、観賞用としても、広告用としても使用できることを特徴とする。
【考案の効果】
【０００５】
カレンダーであることより広告媒体としても常時展示されること。また、使用した後は切り取り線より切り離し、定型の私製はがきとして再利用できるため、無駄のないエコ商品としてアピールできる。
【図面の簡単な説明】
【０００６】
【図１】表面展開図
【図２】裏面展開図
【考案を実施するための形態】
【０００７】
私製はがき（絵はがき）として再利用する目的のため、材質は定形郵便物に定める程度の厚みを有する素材が望ましい。
展示方法は様々ですが、再利用する観点より、透明なケースに収めて使用することが望ましい。
【実施例】
【０００８】
カレンダー・広告媒体として使用の後、図1（表面）及び図2（裏面）の状態で切り離し、私製はがき（絵はがき）として再利用する。
【符号の説明】
【０００９】
1は私製はがき（絵はがき）図柄・文字等面
2はカレンダー部分
3は広告部分
4は切り取り線
4’は切り取り線
5は私製はがき（絵はがき）宛名等面
【図１】
0003170694.tif 000003
【図２】
0003170694.tif 000004
【手続補正書】
【提出日】平成23年7月12日(2011.7.12)
【手続補正１】
【補正対象書類名】実用新案登録請求の範囲
【補正対象項目名】全文
【補正方法】変更
【補正の内容】
【実用新案登録請求の範囲】
【請求項１】
平板の片面の一部に図柄・文字等を印刷し、その余白部分にカレンダー及び必要に応じ広告部分を印刷し、平板の他の片面の前述の図柄・文字等の対応部分に郵便番号枠・切手貼付枠を印刷し、図柄付のカレンダーとして常時展示することを特徴としたカレンダー付私製はがき。
【請求項２】
図柄・文字等を印刷した私製はがき部分とカレンダー部分との境界に切り取り線加工を施し、カレンダーとして使用後切り離し、私製はがきとして再利用をすることを特徴とした請求項１記載のカレンダー付私製はがき。